(57)【要約】【課題】被ポップアップ体がポップアップ位置で停止したときに、被ポップアップ体の慣性力による可動を、簡易な構造で吸収することができるポップアップ装置を備えた電子機器を提供する。【解決手段】  可動アーム５を、収納位置からねじりコイルバネ１５による付勢力の付与によって所定のポップアップ位置まで回動させるポップアップ装置１０において、可動アーム５がねじりコイルバネ１５による付勢力によって所定のポップアップ位置まで回動して、所定のポップアップ位置でねじりコイルバネ１５による付勢力がストッパ部材１６で止められたタイミングで、固定カム１８の第１凹カム部２０ａ内に嵌まっている回動カム１９の凸カム部１９ｃを、所定のポップアップ位置の手前の位置まで摺動させる。【選択図】図８
2015220573.tif 000002
【特許請求の範囲】
【請求項１】
回動軸回りに回動可能に支持された被ポップアップ体を、収納位置から付勢部材による回動方向への付勢力の付与によって所定のポップアップ位置まで回動させるポップアップ装置を備えた電子機器において、
前記ポップアップ装置は、前記被ポップアップ体に対して回動方向への付勢力を付与する前記付勢部材と、
前記付勢部材による付勢力によって前記被ポップアップ体が前記収納位置から前記所定のポップアップ位置まで回動したときに、前記付勢部材による付勢力を止めるストッパ部材と、
前記被ポップアップ体が前記所定のポップアップ位置まで回動したときに、前記被ポップアップ体を前記所定のポップアップ位置に保持する位置保持手段とを備え、
前記位置保持手段は、カム面に凹状の凹カム部を有する固定カムと、
前記被ポップアップ体と一体的に回動し、前記固定カムの前記凹カム部内に弾性力を有するように接して摺動可能な凸状の凸カム部をカム面に有する回動カムとを具備し、
前記被ポップアップ体が前記付勢部材による付勢力によって回動して、前記所定のポップアップ位置で前記付勢部材による付勢力が前記ストッパ部材で止められたタイミングで、前記凹カム部内に嵌まっている前記凸カム部を、前記所定のポップアップ位置の手前の位置まで摺動させることを特徴とするポップアップ装置を備えた電子機器。
【請求項２】
前記付勢部材は、前記回動軸の周囲に軸線方向に沿って設けたねじりコイルばねであり、前記ねじりコイルばねの一端側は固定され、前記ねじりコイルばねの他端側は、前記被ポップアップ体に対して回動方向への付勢力が付与されるように保持されており、
前記被ポップアップ体が前記ねじりコイルばねによる付勢力によって前記所定のポップアップ位置まで回動したときに、前記ねじりコイルばねの他端側が前記ストッパ部材に当たることで、前記ねじりコイルばねによる付勢力が止められることを特徴とする請求項１に記載のポップアップ装置を備えた電子機器。
【請求項３】
回動軸回りに回動可能に支持された被ポップアップ体を、収納位置から付勢部材による回動方向への付勢力の付与によって所定のポップアップ位置まで回動させるポップアップ装置を備えた電子機器において、
前記ポップアップ装置は、前記被ポップアップ体に対して回動方向への付勢力を付与する前記付勢部材と、
前記付勢部材による付勢力によって前記被ポップアップ体が収納位置から前記所定のポップアップ位置まで回動したときに、前記付勢部材による付勢力を止めるストッパ部材と、
前記被ポップアップ体が前記所定のポップアップ位置まで回動したときに、前記被ポップアップ体を前記所定のポップアップ位置近傍に保持する位置保持手段とを備え、
前記位置保持手段は、カム面を有する固定カムと、
前記被ポップアップ体と一体的に回動し、前記固定カムのカム面に弾性力を有するように接して摺動可能な凸状の凸カム部をカム面に有する回動カムとを具備し、
前記被ポップアップ体が前記付勢部材による付勢力によって回動して、前記所定のポップアップ位置で前記付勢部材による付勢力が前記ストッパ部材で止められた少なくも直後では、前記固定カムのカム面に前記凸カム部が摺接されていることを特徴とするポップアップ装置を備えた電子機器。
【請求項４】
前記付勢部材は、前記回動軸の周囲に軸線方向に沿って設けたねじりコイルばねであり、前記ねじりコイルばねの一端側は固定され、前記ねじりコイルばねの他端側は、前記被ポップアップ体に対して回動方向への付勢力が付与されるように保持されており、
前記被ポップアップ体が前記ねじりコイルばねによる付勢力によって前記所定のポップアップ位置まで回動したときに、前記ねじりコイルばねの他端側が前記ストッパ部材に当たることで、前記ねじりコイルばねによる付勢力が止められることを特徴とする請求項３に記載のポップアップ装置を備えた電子機器。
【発明の詳細な説明】
【技術分野】
【０００１】
本発明は、回動可能に支持された被ポップアップ体を収納位置からポップアップ位置まで回動させるポップアップ装置を備えた電子機器に関する。
【背景技術】
【０００２】
近年、ネットワークを利用したテレビ会議システムの活用が増えている。テレビ会議システムでは、ネットワークを介して接続された複数拠点の各テレビ会議端末装置を用いて、複数の拠点間で画像及び音声の双方向通信による会議を行うことができる。
【０００３】
テレビ会議システムに用いられるテレビ会議端末装置としては、特定の会議室などに据え置いて使用する据置型が普及しているが、近年、手軽に任意の場所に持ち運びできる小型でコンパクトな可搬型のテレビ会議端末装置が提案されている（例えば、特許文献１参照）。
【０００４】
特許文献１に記載のテレビ会議端末装置は、持ち運び時や使用していないときには、カメラを先端側に設けた可動アームが筐体の上面から突出して邪魔にならないように可動アームが筐体の収納部に収納され、使用時にポップアップ装置によって可動アームを収納位置からポップアップ位置まで回動させて突出させることができる。
【０００５】
上記のポップアップ装置は、回動可能に支持された可動アームをねじりコイルばねによるばね力で回動させて、ストッパ機構によって所定のポップアップ位置で停止させ、位置保持機構によって所定のポップアップ位置に保持するようにしている。
【発明の概要】
【発明が解決しようとする課題】
【０００６】
ところで、先端側にカメラを設けた可動アームはある程度の重量を有しているので、ポップアップ装置で可動アームをポップアップさせてストッパ機構によって所定のポップアップ位置で停止させたときに、可動アームの慣性力による反動で可動アームが振動することがある。ポップアップ位置で停止したときに可動アームが振動すると、製品（テレビ会議端末装置）の品質感が損なわれる印象をユーザに与えてしまうことがある。
【０００７】
可動アームがポップアップ位置で停止したときに、可動アームに生じる振動を抑制するには、ダンパー等の緩衝機構を設けて、可動アームがポップアップ位置で停止したときの慣性力による可動を吸収することが望ましいが、緩衝機構の追加によって、コストアップや装置全体の大型化を招くなどの問題があった。
【０００８】
そこで、本発明は、被ポップアップ体がポップアップ位置で停止したときに、被ポップアップ体の慣性力による可動を、簡易な構造で吸収することができるポップアップ装置を備えた電子機器を提供することを目的とする。
【課題を解決するための手段】
【０００９】
前記目的を達成するために本発明に係るポップアップ装置を備えた電子機器は、回動軸回りに回動可能に支持された被ポップアップ体を、収納位置から付勢部材による回動方向への付勢力の付与によって所定のポップアップ位置まで回動させるポップアップ装置を備えた電子機器において、前記ポップアップ装置は、前記被ポップアップ体に対して回動方向への付勢力を付与する前記付勢部材と、前記付勢部材による付勢力によって前記被ポップアップ体が前記収納位置から前記所定のポップアップ位置まで回動したときに、前記付勢部材による付勢力を止めるストッパ部材と、前記被ポップアップ体が前記所定のポップアップ位置まで回動したときに、前記被ポップアップ体を前記所定のポップアップ位置に保持する位置保持手段とを備え、前記位置保持手段は、カム面に凹状の凹カム部を有する固定カムと、前記被ポップアップ体と一体的に回動し、前記固定カムの前記凹カム部内に弾性力を有するように接して摺動可能な凸状の凸カム部をカム面に有する回動カムとを具備し、前記被ポップアップ体が前記付勢部材による付勢力によって回動して、前記所定のポップアップ位置で前記付勢部材による付勢力が前記ストッパ部材で止められたタイミングで、前記凹カム部内に嵌まっている前記凸カム部を、前記所定のポップアップ位置の手前の位置まで摺動させることを特徴とするポップアップ装置を備えた電子機器。
【発明の効果】
【００１０】
本発明に係るポップアップ装置を備えた電子機器によれば、被ポップアップ体が付勢部材による付勢力によって回動して、所定のポップアップ位置で付勢部材による付勢力がストッパ部材で止められたタイミングで、凹カム部内に嵌まっている凸カム部を、所定のポップアップ位置の手前の位置まで摺動させることで、被ポップアップ体が付勢部材の付勢力によってポップアップ位置まで回動したときに、新たな緩衝機構を追加することなく簡易な構造で、被ポップアップ体の慣性力による可動を吸収して静止させることができる。
【図面の簡単な説明】
【００１１】
【図１】実施形態１、２に係るポップアップ装置を備えた電子機器の一例としてのテレビ会議端末装置の外観を示す斜視図であり、（ａ）は、ポップアップ装置を作動させていないときのテレビ会議端末装置の外観を示す斜視図、（ｂ）は、ポップアップ装置を作動させたときのテレビ会議端末装置の外観を示す斜視図。
【図２】テレビ会議端末装置の、カメラを設けた可動アームの先端側の外観を示す斜視図。
【図３】ポップアップ装置に接続された可動アームの外観を示す斜視図。
【図４】可動アームをポップアップ位置から更に回動させて約９０°の角度位置に保持した状態を示す斜視図。
【図５】（ａ）、（ｂ）は、ポップアップ装置の要部を示す斜視図。
【図６】ポップアップ装置の側面側を示した図。
【図７】ポップアップ装置のストッパ部材を示した図。
【図８】ポップアップ装置の固定カムと回動カムを示す分解斜視図。
【図９】固定カムのカム面を示した図。
【図１０】（ａ）は、回動カムを示す正面図、（ｂ）は、回動カムを示す平面図、（ｃ）は、回動カムを示す側面図。
【図１１】可動アームが収納されている収納状態のときの、固定カムの第１凹カム部内に嵌まっている凸カム部の位置を示した図。
【図１２】ポップアップ装置を作動させて、可動アームがポップアップ位置で停止したときの状態を示した図。
【図１３】（ａ）、（ｂ）は、ポップアップ装置を作動させて、可動アームがポップアップ位置でねじりコイルばねによる付勢力が止められたタイミングでの、固定カムの第１凹カム部内に嵌まっている凸カム部の位置を示した図。
【図１４】可動アームをポップアップ位置から更に上方側に回動させた状態を示す図。
【図１５】実施形態２における、ポップアップ装置の固定カムのカム面を示す図。
【発明を実施するための形態】
【００１２】
以下、本発明を図示の実施形態に基づいて説明する。
<実施形態１>
図１は、本発明の実施形態１に係るポップアップ装置を備えた電子機器の一例としてのテレビ会議端末装置の外観を示す斜視図であり、図１（ａ）は、ポップアップ装置を作動させていないときのテレビ会議端末装置の外観を示す斜視図、図１（ｂ）は、ポップアップ装置を作動させたときのテレビ会議端末装置の外観を示す斜視図である。
【００１３】
図１に示すように、このテレビ会議端末装置１は、筐体２の上面に形成した収納部３に、先端側にカメラ４（図２参照）を有する被ポップアップ体としての可動アーム５が回動可能に取り付けられている。筐体２の上面には、上記のカメラ４を有する可動アーム５以外にも各種操作ボタンやマイク、スピーカなどが設けられており、筐体２内には、装置全体の動作を制御し、必要な処理を実行するために制御部やネットワークI/Fなどが設けられている。
【００１４】
本実施形態のテレビ会議端末装置１は、筐体２がＡ４サイズ程度のコンパクトサイズであり、手軽に持ち運んで任意の場所で使用することができる。なお、テレビ会議端末装置１には、映像を表示するために表示装置（不図示）が接続されている。この表示装置としては、例えばパソコン（ＰＣ）の表示画面やプロジェクター装置などが挙げられる。
【００１５】
上記のテレビ会議端末装置１は、インターネットなどのネットワークを介してテレビ会議を行う複数の拠点にある同様のテレビ会議端末装置に接続されており、カメラ４で撮像した撮像データと、マイクから入力された音声データが双方向通信で送受信される。これにより、ある拠点のテレビ会議端末装置１は、他の拠点のテレビ会議端末装置から送信された音声データをスピーカで再生し、かつ撮像データを不図示の表示装置（プロジェクター装置など）に出力して表示することができる。
【００１６】
可動アーム５の基端側（カメラ４と反対側）は、図１、図３に示すように、収納部３の端部付近に設けたポップアップ装置１０に接続されており、軸線Ｍ１回りに回動可能に支持されている。ポップアップ装置１０の詳細については後述する。
【００１７】
テレビ会議端末装置１を使用していないときは、図１（ａ）に示したように、可動アーム５が収納位置にロック機構（不図示）によって機械的にロックされている。そして、テレビ会議端末装置１を使用するときは、図１（ｂ）に示したように、ロック解除ボタン６を押圧操作してロック機構（不図示）のロックを解除することで、後述するポップアップ装置１０の付勢部材としてのねじりコイルバネ１５の付勢力（バネ力）によって、可動アーム５がポップアップ位置まで軸線Ｍ１回りに回動する。なお、ポップアップ位置における可動アーム５の角度は、収納位置を０°とすると約１５°である。
【００１８】
可動アーム５は、ポップアップ装置１０によって図１（ｂ）のポップアップ位置から更に軸線Ｍ１回りに回動可能に支持されており、例えば図４に示すように、ユーザによる手動操作によって可動アーム５を回動させて、約９０°の角度位置（筐体２の上面に対して垂直方向）に保持させることができる。なお、図４では、可動アーム５を収納位置（０°）から約９０°の角度まで回動させた状態であるが、収納位置（０°）から例えば約１３５°の角度ぐらいまで回動させることができる。
【００１９】
また、可動アーム５のカメラ４側には周知の二軸ヒンジ機構７が設けられており、カメラ４を取付けたアーム先端部５ａが、二軸ヒンジ機構７によって軸線Ｍ２回り及び軸線Ｍ３回りにそれぞれ回動可能に構成されている。これにより、アーム先端部５ａ側は、軸線Ｍ２回りに所定の角度範囲で回動可能であり、更に軸線Ｍ３回りに所定の角度範囲で回動可能である。
【００２０】
このように、可動アーム５が軸線Ｍ１回りに回動し、かつアーム先端部５ａが軸線Ｍ２回り及び軸線Ｍ３回りにそれぞれ回動することによって、テレビ会議端末装置１を机やテーブルの上に載置した状態で筐体２を移動させることなく、カメラ４の撮像方向を自由に変えることができる。
【００２１】
次に、可動アーム５を軸線Ｍ１回りに回動可能に支持しているポップアップ装置１０の詳細について説明する。
【００２２】
ポップアップ装置１０は、図５（ａ），（ｂ）に示すように、ベース部材１１の両側に設けた軸受部１２ａ，１２ｂの軸受孔に、回動軸としての軸部材１３ａ，１３ｂが取り付けられている。軸部材１３ａは軸受部１２ａの軸受孔に固定され、軸部材１３ｂは軸受部１２ｂの軸受孔に回動可能に取り付けられている。軸部材１３ａには、アーム固定板１４の一方側下部１４ａがに回動可能に挿入され、軸部材１３ｂには、アーム固定板１４の他方側下部１４ｂが固定されている。これにより、アーム固定板１４は、軸部材１３ａ，１３ｂによって回動可能に支持されている。
【００２３】
ベース部材１１の下面は、筐体２の収納部３にねじ止めされ、アーム固定板１４上に可動アーム５の端部がねじ止めされる。
【００２４】
一方側の軸部材１３ａには、図５、図６に示すように、アーム固定板１４の一方側下部１４ａとの間にねじりコイルバネ１５が挿通され、軸部材１３ａのアーム固定板１４の内側にはストッパ部材１６の開口部１６ａが軸部材１３ａに固定されている。ストッパ部材１６には、図７に示すように、ストッパ突起１６ｂが形成されている。ストッパ突起１６ｂは、筐体２の収納部３側に向けて略平行方向に延びている。
【００２５】
ねじりコイルバネ１５の外側端部１５ａは、軸受部１２ａに形成した係止孔１２ｃに係止され、ねじりコイルバネ１５の内側端部１５ｂは、アーム固定板１４の一方側下部１４ａに形成したフック部１４ｃの下部に接して、アーム固定板１４（可動アーム５）に対してねじりコイルバネ１５のバネ力（付勢力）を付与している。
【００２６】
他方側の軸部材１３ｂには、図５（ｂ）、図８に示すように、アーム固定板１４の他方側下部１４ｂとの間に円筒状のスペーサ１７が挿通され、軸部材１３ｂの軸受部１２ｂ側には、略円板状の固定カム１８の挿通孔１８ａが挿通されるとともに、固定カム１８のカム面１８ｂに略円板状の回動カム１９の挿入孔１９ａが挿入されて固定されている。固定カム１８は、カム面１８ｂの外周側に形成した一対の突起状の爪部１８ｃを軸受部１２ｂに形成した溝部１２ｄに挟み込むようにして固定されている。軸部材１３ｂの端部に固定された回動カム１９は、アーム固定板１４（軸部材１３ｂ）ｂと一体的に回動する。
【００２７】
固定カム１８のカム面１８ｂには、図９に示すように、回動軸としての軸部材１３ｂを中心にして対称位置に凹状の一対の第１凹カム部２０ａ、第２凹カム部２０ｂ、第３凹カム部２０ｃ、及び第４凹カム部２０ｄが周方向に沿って所定間隔で形成されている。第１凹カム部２０ａの周方向に沿った幅は、他の第２凹カム部２０ｂ〜第４凹カム部２０ｄよりも２倍程度幅広に形成されている。第１凹カム部２０ａ〜第４凹カム部２０ｄの外周側の周方向の長さは、内周側の周方向の長さよりも少し長く形成されている。なお、図９では、固定カム１８のカム面１８ｂに、弾性力を有するようにして摺動可能に接している回動カム１９は取り外している。
【００２８】
回動カム１９のカム面１９ｂ（固定カム１８のカム面１８ｂと摺接する面）には、図１０（ａ），（ｂ），（ｃ）に示すように、挿入孔１９ａを中心にして対称位置に突起状の一対の凸カム部１９ｃが外周側に形成されている。回動カム１９は、薄板状に形成されて弾性力を有する板バネとしての機能を有し、回動カム１９の一対の凸カム部１９ｃが固定カム１８のカム面１８ｂに対して所定の弾性力で摺接している。
【００２９】
凸カム部１９ｃは、第２凹カム部２０ｂ〜第４凹カム部２０ｄに略隙間なく嵌まる形状に形成されている。また、凸カム部１９ｃの周方向に沿った幅は、第１凹カム部２０ａの周方向に沿った幅の略半分である。
【００３０】
固定カム１８の第２凹カム部２０ｂ〜第４凹カム部２０ｄと回動カム１９の凸カム部１９ｃは、可動アーム５が筐体２の収納部３からポップアップ位置（収納位置から１５°の角度まで回動した位置）に突出した状態から、更にユーザが可動アーム５を回動させて所定の回動範囲の間で任意の位置（本実施形態では、収納位置から４５°、９０°、１３５°の角度位置）にクリック感を伴ってアーム姿勢を保持する位置保持機構として機能する。本実施形態では、可動アーム５をポップアップ位置に保持する位置保持手段が、固定カム１８と回動カム１９とで構成されている。
【００３１】
図１（ａ）に示したように、ロック機構（不図示）によって可動アーム５が筐体２の収納部３に収納されている収納状態のときは、ねじりコイルバネ１５の内側端部１５ｂがアーム固定板１４のフック部１４ｃに接して、アーム固定板１４（可動アーム５）に対してねじりコイルバネ１５のバネ力（付勢力）が付与された状態にある。
【００３２】
このとき、回動カム１９の一対の凸カム部１９ｃは、図１１に示すように、固定カム１８の一対の第１凹カム部２０ａ内に嵌まるように付勢され、かつ一方の上側の凸カム部１９ｃが上側の第１凹カム部２０ａ内の一方側の内壁端部（図１１の右側端部）に当接し、他方の下側の凸カム部１９ｃが下側の第１凹カム部２０ａ内の一方側の内壁端部（図１１の左側端部）に当接している。なお、図１１では、固定カム１８に対する回動カム１９の一対の凸カム部１９ｃの位置だけを示している（以下の図１３においても同様である）。
【００３３】
そして、ロック解除ボタン６の押圧によってロック機構（不図示）によるロックが解除されると、ねじりコイルバネ１５のばね力で可動アーム５（アーム固定板１４）が軸線Ｍ１回りに回動し（図1（ｂ）参照）、図１２に示したように、所定の角度（１５°）までポップアップしたタイミングでは、ねじりコイルバネ１５の内側端部１５ｂがストッパ部材１６のストッパ突起１６ｂに当たって、ねじりコイルバネ１５による付勢力が止められ、可動アーム５がポップアップ位置で停止する（正確には、慣性力によって更に少し上方側へ可動（回動）する）。
【００３４】
この際、可動アーム５（アーム固定板１４）と一体的に回動カム１９が回動し、図１３（ａ）に示すように、上側の第１凹カム部２０ａ内に嵌まっている上側の凸カム部１９ｃがこの第１凹カム部２０ａの他方側の内壁端部２０ａ’（図１３（ａ）の左側端部）に近接する位置まで摺動し、下側の第１凹カム部２０ａ内に嵌まっている下側の凸カム部１９ｃがこの第１凹カム部２０ａの他方側の内壁端部２０ａ’（図１３（ａ）の右側端部）に近接する位置まで摺動する。
【００３５】
即ち、可動アーム５（アーム固定板１４）がねじりコイルバネ１５のバネ力で回動して、ねじりコイルバネ１５の内側端部１５ｂがストッパ突起１６ｂに当たったタイミングでは、凸カム部１９ｃが第１凹カム部２０ａ内の他方側の内壁端部２０ａ’に接していなく、少し隙間がある。
【００３６】
ところで、上記したねじりコイルバネ１５の内側端部１５ｂがストッパ部材１６のストッパ突起１６ｂに当たって可動アーム５が停止した際の衝撃によって、回動状態にあった可動アーム５に慣性力が作用する。
【００３７】
この際、上記したように、凸カム部１９ｃが第１凹カム部２０ａ内の他方側の内壁端部２０ａ’に当たっていなく、少し隙間があるので、前記慣性力によって可動アーム５が更に少し上方側へ可動（回動）し、図１３（ｂ）に示すように、摺動する凸カム部１９ｃが第１凹カム部２０ａの他方側の内壁端部２０ａ’に接する（或いは、更に第１凹カム部２０ａの内壁端部２０ａ’から外側に乗り上げる付近まで摺動する）ことで、可動アーム５の慣性力による可動が止まる。
【００３８】
そして、可動アーム５は、可動停止ともなう反動と自重によって、慣性力で可動した分だけ軸線Ｍ１回りに反対側に可動し、所定の角度（１５°）のポップアップ位置で静止する。
【００３９】
このように、可動アーム５が所定の角度（１５°）のポップアップ位置で静止した状態（図１（ｂ）、図１２参照）では、ねじりコイルバネ１５のバネ力による付勢力で可動アーム５が下方へ下がることはなく、かつ凸カム部１９ｃが第１凹カム部２０ａ内の一方の内壁端部２０ａ’に接して、可動アーム５が所定のポップアップ位置に保持される。
【００４０】
更に、上記したように、可動アーム５がねじりコイルバネ１５のバネ力によってポップアップ位置まで回動した際において、ねじりコイルバネ１５の内側端部１５ｂがストッパ突起１６ｂに当たったタイミングでは、凸カム部１９ｃが第１凹カム部２０ａ内の他方側の内壁端部２０ａ’に接していなく、少し隙間があるので、可動アーム５に作用する慣性力にともなう可動はこの隙間で吸収される。
【００４１】
よって、可動アーム５がねじりコイルバネ１５のバネ力によってポップアップ位置まで回動した際に、新たな緩衝機構を追加することなく簡易な構造で、可動アーム５に作用する慣性力にともなう振動を抑制して静止させることができる。
【００４２】
なお、可動アーム５がポップアップ位置に突出した状態から、更にユーザが可動アーム５を回動させて、例えば回動カム１９の一対の凸カム部１９ｃを固定カム１８の一対の第２凹カム部２０ｂ内に摺接させることで、図１４に示すように、可動アーム５を約４５°の角度位置にクリック感を伴って保持することができる。
【００４３】
<実施形態２>
前記実施形態１では、可動アーム５がポップアップ位置に対応して固定カム１８に一対の第１凹カム部２０ａを設けていたが、本実施形態の固定カム１８では、図１５に示すように、カム面１８ｂに可動アーム５のポップアップ範囲における凹カム部（実施形態１の第１凹カム部２０ａ）の凹形状をなくし、平面状とした構成である。他の構成は、実施形態１と同様である。
【００４４】
本実施形態の固定カム１８のカム面１８ｂには、図１０に示した回動カム１９の凸カム部１９ｃが所定の弾性力で摺接している。
【００４５】
このため、上記したように、ロック解除ボタン６の押圧によってロック機構（不図示）によるロックが解除されて、ねじりコイルバネ１５のばね力で可動アーム５（アーム固定板１４）が軸線Ｍ１回りに回動し、所定の角度（１５°）までポップアップする動作の間は、固定カム１８のカム面１８ｂに、図１０に示した回動カム１９の凸カム部１９ｃが所定の弾性力で摺接している状態となる。
【００４６】
この際、上記したように、ねじりコイルバネ１５の内側端部１５ｂがストッパ部材１６のストッパ突起１６ｂに当たって可動アーム５が停止した際の衝撃によって、回動状態にあった可動アーム５に慣性力が作用する。そして、前記慣性力によって可動アーム５が更に少し上方側へ可動（回動）しようとするが、固定カム１８のカム面１８ｂに、図１０に示した回動カム１９の凸カム部１９ｃが所定の弾性力で摺接しているので、可動アーム５の慣性力による可動はこの弾性力で摺接によって吸収される。
【００４７】
よって、本実施形態においても、可動アーム５がねじりコイルバネ１５のバネ力によってポップアップ位置まで回動した際に、新たな緩衝機構を追加することなく簡易な構造で、可動アーム５に作用する慣性力にともなう振動を抑制して静止させることができる。
【００４８】
なお、上記した実施形態１、２では、ポップアップ装置をテレビ会議端末装置のカメラを有する可動アーム（被ポップアップ体）に適用した例であったが、被ポップアップ体を備えた他の電子機器においても、同様に本発明を適用することができる。
【符号の説明】
【００４９】
１        テレビ会議端末装置
２        筐体
４        カメラ
５        可動アーム
１０      ポップアップ装置
１５      ねじりコイルバネ
１６      ストッパ部材
１６ｂ    ストッパ突起
１８      固定カム
１９      回動カム
１９ｃ    凸カム部
２０ａ    第１凹カム部
【先行技術文献】
【特許文献】
【００５０】
【特許文献１】特開２０１２−１５１５２１号公報
【図１】
2015220573.tif 000003
【図２】
2015220573.tif 000004
【図３】
2015220573.tif 000005
【図４】
2015220573.tif 000006
【図５】
2015220573.tif 000007
【図６】
2015220573.tif 000008
【図７】
2015220573.tif 000009
【図８】
2015220573.tif 000010
【図９】
2015220573.tif 000011
【図１０】
2015220573.tif 000012
【図１２】
2015220573.tif 000013
【図１４】
2015220573.tif 000014
【図１５】
2015220573.tif 000015
【図１１】
2015220573.tif 000016
【図１３】
2015220573.tif 000017